(57)【要約】【課題】  畳表に人の足による荷重がかかってもしわの発生を的確に防止、畳全体として天然イグサ畳に近似した弾力感を有する水洗い可能な畳を提供することを技術的課題とする。【解決手段】  プラスティック段ボールから成る中空状合成樹脂プレートを挟んで２枚の発泡ポリスチレン製芯材を設け、表面側の発泡ポリスチレン製芯材の上面に他のプラスティック段ボールから成る中空状合成樹脂プレート、合成樹脂発泡シートを挟んで合成樹脂製畳表を積層すると共に、裏面の発泡ポリスチレン製芯材の下面に合成樹脂発泡シート設けて合成樹脂製畳表を発泡ポリスチレン製芯材の側面で縫合わせた。【選択図】図１
2008115676.tif 000002
【特許請求の範囲】
【請求項１】
プラスティック段ボールから成る中空状合成樹脂プレートを挟んで２枚の発泡ポリスチレン製芯材を設け、表面側の発泡ポリスチレン製芯材の上面に他のプラスティック段ボールから成る中空状合成樹脂プレート、合成樹脂発泡シートを挟んで合成樹脂製畳表を積層すると共に、裏面の発泡ポリスチレン製芯材の下面に合成樹脂発泡シート設けて合成樹脂製畳表を発泡ポリスチレン製芯材の側面で縫合わせた水洗い可能な畳。
【発明の詳細な説明】
【発明の詳細な説明】
【技術分野】
【０００１】  本発明は畳表に人の足による荷重がかかってもしわが生ずることなく、畳全体として天然イグサ畳に近似した弾力感を有する水洗い可能な畳に関するものである。
【背景技術】
【０００２】  例えば、特開２００４−８４１９８号公報には、発泡合成樹脂からなる中心層を挟んで、一番下の接床面には下面に浮し部を有する通水プレートを配置する一方、前記中心層の上には表側通水プレートと防黴シートとを設置し、かつその表面を合成樹脂繊維ラッシュからなる畳表にて被覆することにより畳本体と成し、さらに畳本体の前記ラッシュに直交する側縁部には畳縁チャンネル部材を着脱自在に嵌着した浴水可能な高耐水畳が記載されている。【０００３】  しかしながら、この発明においては、芯材（中心層）を構成するそれぞれの発泡合成樹脂間に表面平滑な合成樹脂プレートが介在していないので、畳表に充分な引張力が得られず畳表のしわの発生を充分に防止することができない。即ち、図２の畳糸Ｓの縫目方向に対しては通水プレート２、３及び中心層１は強固に縫着されているためずれないが、縫目方向に直行する方向にはずれ得る。しかしながら、もし通水プレート２、３及び中心層１がこの方向でずれたとしても畳側縁部には畳縁チャンネル６が嵌着するようになっており、畳表５と畳縁チャンネル６とは連続して一体的でなく別体であるため、畳表にはこれらのずれによる引張の影響を全く受けない。したがって、畳表に発生したしわを防止することができない。【０００４】  また、硬質の芯材（中心層）が畳の中心に比較的分厚く形成されているため畳全体として天然イグサ畳に近似した弾力感を得ることができない。【０００５】  また、中心層を構成する発泡合成樹脂面同士が対接しているので、畳表上面に一方向に足の加重がかかった場合、発泡合成樹脂同士が擦れ合いぎしぎしという不快音を発生する。【０００６】  特開２００１−２２７１４２号公報には、プラスティック製人工い草を含む畳表と、プラスティック製芯材及びこの芯材の上下に配設したプラスティック製保護シートを含む畳床とを含み、かつ非吸収性を有していることを特徴とする人工畳が記載されている。【０００７】  しかしながら、それぞれの発泡合成樹脂間に表裏面平滑な合成樹脂プレートが介在していないのでずれが発生しないため、畳表に充分な引張力が得られず畳表のしわの発生を防止することができない。また、厚み調整部材が比較的分厚く形成されているため畳全体として天然イグサ畳に近似した弾力感を得ることができない。
【発明が解決しようとする課題】
【０００８】  本発明は、畳表に人の足による荷重がかかってもしわが生ずることなく、畳全体として天然イグサ畳に近似した弾力感を有する水洗い可能な畳を提供することにある。
【課題を解決する手段】
【０００９】  請求項１の発明は、プラスティック段ボールから成る中空状合成樹脂プレートを挟んで２枚の発泡ポリスチレン製芯材を設け、表面側の発泡ポリスチレン製芯材の上面に他のプラスティック段ボールから成る中空状合成樹脂プレート、合成樹脂発泡シートを挟んで合成樹脂製畳表を積層すると共に、裏面の発泡ポリスチレン製芯材の下面に合成樹脂発泡シート設けて合成樹脂製畳表を発泡ポリスチレン製芯材の側面で縫合わせた水洗い可能な畳を提供するものである。
【００１０】  足の裏によって畳表面に一方向から力が加わると表面側の中空状合成樹脂プレートが表面側の発泡ポリスチレン製芯材上面を滑り、そのプレート端部が畳表の一側面を一方向に押圧する。これにより、畳の表側において上記一方向へ引張力が働く。一方、足の裏によって畳表面に一方向から力が加わると裏面側の発泡ポリスチレン製芯材は畳上面に加わる足の圧力によって畳下面側へ押し付けられながら裏面側の中空状合成樹脂プレート下面を滑り、発泡ポリスチレン製芯材端部が畳表の他の側面を他方向に押圧する。これにより、畳の裏側において上記と逆の方向へ引張力が働く。このように、少なくとも表側の中空状合成樹脂プレートと裏側の発泡ポリスチレン製芯材が共に逆方向に滑り合って畳表側面を押圧するため、畳表に引張力が得られ畳表のしわの発生を確実に防止することができる。尚、表裏２枚の中空状合成樹脂プレートと表裏２枚の発泡ポリスチレン製芯材は共に両端部で縫糸で固定されていてずれないように思われるが、実際は縫糸の伸縮やたるみ等があり、ずれはしわを伸ばすに充分な微少な範囲であってよい。
【００１１】  また、プラスティック段ボールから成る中空状合成樹脂プレートは内部が段ボール状中空体であり弾力性に富んでいる。一方発泡ポリスチレン製芯材は発泡体ではあるが硬質体である。したがって、弾力性を有していて表面平滑なプラスティック段ボールから成る中空状合成樹脂プレートを挟んで２枚の発泡ポリスチレン製芯材を設け、表面側の発泡ポリスチレン製芯材の上面に他の弾力性を有するプラスティック段ボールから成る中空状合成樹脂プレートを積層し、プラスティック段ボールから成る２枚の中空状合成樹脂プレートを２つに分割する発泡ポリスチレン製芯材間に介在させたので（芯材自体の厚さを厚くしない）、畳全体として天然イグサ畳に近似した弾力感を有する水洗い可能な畳を提供することができる。
【００１２】  また、プラスティック段ボールから成る中空状合成樹脂プレートは表裏面が平滑で滑りやすく、発泡ポリスチレン製芯材は発泡体で表面がざらざらしており滑りにくい。したがって、これらを交互に積層したので、それらのずれ合う際に発生する不快音を防止することができる。
【発明を実施するための最良の形態】
【００１３】  以下に本発明の一実施形態を図面に基づき説明する。プラスティック段ボールから成る中空状合成樹脂プレート３ｂを挟んで少なくとも２枚の発泡ポリスチレン製芯材２ａ、２ｂを設け、その表面に合成樹脂製畳表１を発泡ポリスチレン製芯材２ａ、２ｂの側面で縫合わせて畳Ａを構成している。これにより、畳表に人の足による荷重がかかっても発泡ポリスチレン製芯材２ａと中空状合成樹脂プレート３ａ、発泡ポリスチレン製芯材２ｂと中空状合成樹脂プレート３ｂとがそれぞれずれ合うことにより合成樹脂製畳表１に引張力が働き、しわを生じさせることがない。前記合成樹脂製畳表１はポリプロピレンを使用している。【００１４】  前記表面側の発泡ポリスチレン製芯材２ａの上面に他の中空状合成樹脂プレート３ａ、合成樹脂発泡シート４ａ及び消臭シート５を挟んで合成樹脂製畳表１を積層し、裏面の芯材２ｂの下面に合成樹脂発泡シート４ｂを設けて合成樹脂製畳表１を芯材２ａ、２ｂの側面で縫合わせている。中空状合成樹脂プレート３ａ、３ｂは適度な弾性及び表面平滑性を有し、発泡ポリスチレン製芯材２ａ、２ｂの保護とそれらのずれ合う際に発生する音を防止する。発泡樹脂同士が擦れ合うとぎしぎしと不快音が発生する。畳表１上は合成樹脂発泡シート４ａ及び中空状合成樹脂プレート３ａにより適度な柔軟性を持たせることができる。前記合成樹脂発泡シート４ａ、４ｂは発泡ポリプロピレン、消臭シート５は活性炭入りポリエステルシートを使用している。また、合成樹脂発泡シート４ｂは畳Ａを設置する床面との滑りを防止する。尚、７は縫い目である。【００１５】  さらに、前記畳表の裏面に液状遠赤外線放射体６を噴霧して、畳表の人口イグサの微細な目内に液状遠赤外線放射体を浸透させるようにしている。この液状遠赤外線放射体６の生育電磁波（水分子共振波長）は約６・０〜６．５であり、抗菌、殺菌、消臭作用を有する。水がこの波長の赤外線エネルギーを吸収するとマイナスイオン優位のバランスの還元作用を持つ活性水に変化して水質の劣化防止や鮮度の維持にもっとも効果がある。特に浴場等の湯の浄化に効果が高い。【００１６】  また、上記の構成において、畳は厚さが約３０〜５５ｍｍで、重さが１平方メートル当り６ｋｇ以下に成るようにしている。好ましくは５ｋｇ以下である。
【発明の効果】
【００１７】  上記の如く本発明においては、畳表に人の足による荷重がかかってもしわが生ずることなく、畳全体として天然イグサ畳に近似した弾力感を有し、極めて良好な抗菌、殺菌、消臭効果を付与した水洗い可能な畳を提供することが出来る。
【図面の簡単な説明】
【００１８】
【図１】畳の断面説明図
【符号の説明】
Ａ          畳
１          畳表（ポリエチレン）
２ａ、２ｂ  芯材（発泡ポリスチレン）
３ａ、３ｂ  中空状合成樹脂プレート（プラスティック段ボール）
４ａ、４ｂ  合成樹脂発泡シート（発泡ポリプロピレン）
５          消臭シート（活性炭入りポリエステル）
６          液状遠赤外線放射体
【図１】
2008115676.tif 000003
【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
プラスティック段ボールから成る中空状合成樹脂プレートを挟んで２枚の発泡ポリスチレン製芯材を設け、表面側の発泡ポリスチレン製芯材の上面に他のプラスティック段ボールから成る中空状合成樹脂プレートを挟んで合成樹脂製畳表を積層すると共に、前記合成樹脂製畳表を発泡ポリスチレン製芯材の側面で縫合わせた水洗い可能な畳。
【手続補正２】
【補正対象書類名】明細書
【補正対象項目名】０００９
【補正方法】変更
【補正の内容】
【０００９】  請求項１の発明は、プラスティック段ボールから成る中空状合成樹脂プレートを挟んで２枚の発泡ポリスチレン製芯材を設け、表面側の発泡ポリスチレン製芯材の上面に他のプラスティック段ボールから成る中空状合成樹脂プレートを挟んで合成樹脂製畳表を積層すると共に、前記合成樹脂製畳表を発泡ポリスチレン製芯材の側面で縫合わせた水洗い可能な畳を提供するものである。
【手続補正書】
【提出日】平成19年6月5日(2007.6.5)
【手続補正１】
【補正対象書類名】特許請求の範囲
【補正対象項目名】全文
【補正方法】変更
【補正の内容】
【特許請求の範囲】
【請求項１】
プラスティック段ボールから成る中空状合成樹脂プレートを挟んで２枚の発泡ポリスチレン製芯材を設け、表面側の発泡ポリスチレン製芯材の上面に他のプラスティック段ボールから成る中空状合成樹脂プレートを挟んで合成樹脂製畳表を積層すると共に、該合成樹脂製畳表を前記上方のプラスティック段ボールから成る中空状合成樹脂プレート上面に接着しないで発泡ポリスチレン製芯材の側面で縫合わせた水洗い可能な畳。
【手続補正２】
【補正対象書類名】明細書
【補正対象項目名】０００９
【補正方法】変更
【補正の内容】
【０００９】
【課題を解決する手段】
請求項１の発明は、プラスティック段ボールから成る中空状合成樹脂プレートを挟んで２枚の発泡ポリスチレン製芯材を設け、表面側の発泡ポリスチレン製芯材の上面に他のプラスティック段ボールから成る中空状合成樹脂プレートを挟んで合成樹脂製畳表を積層すると共に、該合成樹脂製畳表を前記上方のプラスティック段ボールから成る中空状合成樹脂プレート上面に接着しないで発泡ポリスチレン製芯材の側面で縫合わせた水洗い可能な畳を提供するものである。